(57)【特許請求の範囲】
【請求項１】
照明負荷と、
この照明負荷をエリア毎に調光制御する調光手段と、
前記照明負荷のエリア毎の照明状態情報が記憶される照明状態テーブルと、
前記照明負荷のエリア毎の照明状態を得て、前記照明状態テーブルの情報の書き換えを行うテーブル管理手段と、
前記照明負荷についてエリア毎に点灯／消灯を指示するスイッチ手段と、
前記スイッチ手段による点灯／消灯の指示を受けると、前記照明状態テーブルに記憶されている当該スイッチ手段に対応するエリアの少なくとも隣接するエリアの照明状態情報を参照して、当該スイッチ手段に対応する該当エリアの照明負荷を直ちに点灯／消灯するか順次調光制御するかを判定し、直ちに点灯／消灯する判定をした場合には、該当エリアの照明負荷を直ちに点灯／消灯させる照明指示情報を前記調光手段へ与えて調光制御を行う一方、順次調光制御する判定をした場合には、順次調光制御を行うための照明指示情報を前記調光手段へ与えて調光制御を行う順次調光制御手段と
を備えることを特徴とする照明制御システム。
【請求項２】
順次調光制御手段には、タイマ手段が付設され、前記順次調光制御手段は順次に調光レベルを変更して点灯／消灯へ至る制御に際し、前記タイマ手段を参照して、所定時間毎に調光レベルを所定段階ずつ変化さるように照明指示情報を出力することを特徴とする請求項１記載の照明制御システム。
【請求項３】
順次調光制御手段には、直ちに点灯／消灯を実行するか順次に調光レベルを変更して点灯／消灯へ至るのかの判定に際し、照明状態を参照すべきエリアが各エリア毎に記憶された参照エリアテーブルが付設され、このテーブルに応じて該当エリアの照明状態を参照することを特徴とする請求項１または請求項２に記載の照明制御システム。
【発明の詳細な説明】
【０００１】
【産業上の利用分野】
この発明は、一軒の家屋や一棟のビルなどの照明器を制御する照明制御システムに関するものである。
【０００２】
【従来の技術】
従来、蛍光灯等の照明負荷が接続された制御端末器と、この制御端末器に対し所要照明負荷について照明状態の制御データを伝送して照明制御を行う主操作盤とが、伝送路を介して接続された照明制御システムが知られている。このシステムでは、近年において、窓から入り込む外光を考慮した照明制御を行うべく、光センサを設け、外光の強度データを取り込んで、照明制御に用いるようにしている。
【０００３】
また、上記従来の照明制御システムでは、制御端末器は、制御対象のエリアの照明負荷に対し点灯／消灯の指示が与えられたときには、直ちに点灯／消灯を実行するようにしている。ところが、上記の照明制御システムによると、直ちに点灯／消灯が行われたエリアの隣のエリアにいる人にとって、隣のエリアの照明が急に点灯されたり消灯されるため、チラチラが目に入り、煩わしいという問題が生じていた。そこで、点灯から消灯するときには、徐々に調光レベルを下げて行き、隣のエリアで消灯が行われたことが気にならぬようにするシステムが知られている。
【０００４】
【発明が解決しようとする課題】
しかしながら、この様に、点灯から消灯するときのみに徐々に調光レベルを下げて行くだけでは、消灯から点灯となる場合に、点灯時のチラチラが気になるうえに、何時でも徐々に消灯するのであるから、無人の時などには無駄な制御が行われているという問題が生じていた。
【０００５】
本発明は、上記の従来の照明制御システムの問題点を解決せんとしてなされたもので、その目的は、点灯／消灯された照明負荷による人への影響を少なくし、かつ、無駄なく照明制御がなされる照明制御システムを提供することである。
【０００６】
【課題を解決するための手段】
本発明では、照明負荷と、この照明負荷をエリア毎に調光制御する調光手段と、前記照明負荷のエリア毎の照明状態情報が記憶される照明状態テーブルと、前記照明負荷のエリア毎の照明状態を得て、前記照明状態テーブルの情報の書き換えを行うテーブル管理手段と、前記照明負荷についてエリア毎に点灯／消灯を指示するスイッチ手段と、前記スイッチ手段による点灯／消灯の指示を受けると、前記照明状態テーブルに記憶されている当該スイッチ手段に対応するエリアの少なくとも隣接するエリアの照明状態情報を参照して、当該スイッチ手段に対応する該当エリアの照明負荷を直ちに点灯／消灯するか順次調光制御するかを判定し、直ちに点灯／消灯する判定をした場合には、該当エリアの照明負荷を直ちに点灯／消灯させる照明指示情報を前記調光手段へ与えて調光制御を行う一方、順次調光制御する判定をした場合には、順次調光制御を行うための照明指示情報を前記調光手段へ与えて調光制御を行う順次調光制御手段とを備えさせて照明制御システムを構成した。
【０００７】
【作用】
上記構成によると、照明負荷についてエリア毎に点灯／消灯を指示するスイッチ手段による点灯／消灯の指示があると、これを受けて、照明状態テーブルの少なくとも隣接するエリアの照明状態情報に基づき、該当エリアの照明負荷に対し、直ちに点灯／消灯を実行するか順次に調光レベルを変更して点灯／消灯へ至るのかを判定すると共に、この判定による照明指示情報を調光手段へ与えて調光制御が行われる。ここに、照明状態テーブルには、照明負荷のエリア毎の照明状態情報が記憶されており、隣接のエリアに人がいるのか否かが判別可能である。この情報を用いて、必要な場合にのみ順次に調光レベルを変更して点灯／消灯へと進み、的確なる照明制御がなされる。
【０００８】
【実施例】
以下、添付の図面を参照して、本発明の実施例を説明する。図１には、本発明の実施例に係る照明制御システムが示されている。この照明制御システムでは、主操作盤１と制御端末器２−１，２−２、監視端末器３とが伝送路４により接続されている。制御端末器２−１，２−２には、例えば、蛍光灯等の照明負荷５−１，５−２が接続され、監視端末器３にはスイッチ６−１〜６−２（点灯／消灯指示用マニュアルスイッチ）が接続されている。また、制御端末器２−１，２−２、監視端末器３、照明負荷５−１、５−２、スイッチ６−１〜６−２のそれぞれにアドレスが付与されており、監視端末器３はスイッチ６−１〜６−２が操作されると、当該スイッチのアドレス及び自端末のアドレスを伝送路４を介して主操作盤１に送信する。主操作盤１は、例えば、マイクロコンピュータ等により構成され、監視端末器及びそのスイッチのアドレスに対応させて制御端末器とその照明負荷のアドレスと照明状態（全調光、段階調光の所定調光度等）とが記憶されたメモリテーブルを備えており、監視端末器３から送られてくるアドレスに基づきメモリテーブルを検索し、照明状態と制御すべき制御端末器及び照明負荷のアドレスとからなる制御データを伝送路４へ送信する。対応する制御端末器は自端末と同一のアドレスである場合に制御データを取込み対応のアドレスを持つ照明負荷に対し対応の照明状態を現出させる。
【０００９】
更に、所定制御端末器の所定照明負荷に対し、外光の光量に基づく照明制御を行うために、伝送路４にセンサ端末器１０を接続し、光センサ１１で光量を検出する。これは、照明対象位置に太陽光による間接光が入り、昼と夜、また、晴れの日と曇りの日とで光量が変化することに自動的に対応するための構成である。かかる構成により、光センサ１１から光量信号を得て、これに対応して所要の照明負荷の連続調光制御、段調光制御、点灯／消灯制御等の制御データを主操作盤１から送信するように構成されている。
【００１０】
また、制御端末器２−１、２−２には、調光用のボリュームＶＲが接続されており、マニュアル操作による調光の場合には、制御端末器２−１、２−２は、このボリュームのデータを取り込み保持して調光制御に用いると共に、主操作盤１へ送信して、自装置の状態を通知しておく。従って、各制御端末器２−１、２−２には、自装置の照明制御を行うための制御データを記憶するメモリが備えられ、主操作盤１には、全制御端末器２−１、２−２が用いている制御データを記憶するメモリ（照明状態テーブル１８）が備えられている。また、主操作盤１には、照明負荷のエリア毎の照明状態を得て、前記照明状態テーブル１８の情報の書き換えを行うテーブル管理手段１７と、前記照明負荷５−１、５−２についてエリア毎に点灯／消灯を指示するスイッチ手段であるスイッチ６−１、６−２による点灯／消灯の指示を受けて、前記照明状態テーブル１８の少なくとも隣接するエリアの照明状態情報に基づき、該当エリアの照明負荷に対し、直ちに点灯／消灯を実行するか順次に調光レベルを変更して点灯／消灯へ至るのかを判定すると共に、この判定による照明指示情報を制御端末器２−１、２−２へ与えて調光制御を行う順次調光制御手段１６が備えられている。
【００１１】
図２に、主操作盤１の具体的構成を示す。伝送路４に接続され、信号を送受、データのフォーマット化、フォーマット化されたデータの分離等を行う伝送路インタフェース１１１に、プロセッサ１１２が接続されている。プロセッサ１１２にはＲＯＭ、ＲＡＭ等からなり、このプロセッサ１１２が用いるプログラム及びデータが記憶されるメモリ１１３が接続されている。プロセッサ１１２には、基準クロックを与える発振器１１４、電源投入時の所定電圧が印加されたとき等の初期においてリセットをプロセッサ１１２に与える初期リセット回路１１５が接続されている。更に、プロセッサ１１２にはＩ／Ｏポート１１６を介して表示コントローラ１１７に接続され、Ｉ／Ｏポート１１８を介して操作パネル部１１９に接続されている。表示コントローラ１１７は表示部（ＬＣＤ等）１２０に接続されている。メモリ１１３には、各制御端末器２に対応していずれの照明負荷に対しどのような照明状態を現出するかを示す制御データが記憶された照明状態テーブル１８の他、各種のメモリテーブル、レジスタ、フラグが含まれている。
【００１２】
図３には、制御端末器２の詳細な構成が示されている。この制御端末器２においても、伝送路４に接続され、信号を送受、データのフォーマット化、フォーマット化されたデータの分離等を行う伝送路インタフェース３２に、プロセッサ３１が接続されている。プロセッサ３１には、入力ポート３４を介して調光制御に係るボリュームＶＲが接続され、また、出力ポート３５を介して調光制御部３６、３７が接続されている。プロセッサ３１には更に、制御データ等が記憶されるメモリ３３が接続され、このメモリ３３内のプログラム及びデータを用いてプロセッサ３１は各部を制御する。調光制御部３６、３７には照明負荷が接続される。
【００１３】
通常の処理では、センサ端末器１０や監視端末器３等の状態を通知する装置、主操作盤１、制御端末器２は以下に示す動作を行っている。つまり、センサ端末器１０や監視端末器３等は、これに対応して設けられているセンサやスイッチの状態を検出し、この検出結果に係るデータを保持している。また、主操作盤１は、センサ端末器１０や監視端末器３等が保持しているデータを定期的なポーリングにより収集し、この収集したデータに基づき制御データを作るなどしてメモリ１１３に格納し、上記制御端末器２に対して制御データを送る必要の有無を検出し、必要があればアドレスを付して伝送する。
更に、制御端末器２は、制御データの到来を待ちながら、メモリ３３に記憶されている制御データを用いて照明制御している。制御データが到来すると、これを用いてメモリ３３の書き換えを行い、このメモリ３３内の新たな制御データを用いて照明制御を行う。
【００１４】
図４には、本実施例に係る主操作盤１内のより詳細なブロック図が示されている。順次調光制御手段１６には、タイマ１９が付設されている。また、照明状態テーブル１８には、エリア毎に照明状態情報が記憶されている。ここでは、あるビルのワンフロワーが、図６に示されるように壁６０で囲われており、９つの制御端末器２が９つのエリアを個別に制御対象としている。つまり、広狭はあるが、エリア１からエリア９までが各エリアの照明負荷５により照明される。従って、照明状態テーブル１８も、９つのエリア毎に照明状態情報が記憶されている。また、主操作盤１には、順次調光制御用レジスタ２２が備えられている。この順次調光制御用レジスタ２２では、順次調光を行うエリアに対応させて、調光レベル、点灯（ＵＰ）／消灯（ＤＯＷＮ）の区分の情報が書き込まれる。更に、主操作盤１には、各エリアで点灯／消灯を指示するスイッチが操作された場合に、直ちに点灯／消灯を実行するか順次に調光レベルを変更して点灯／消灯へ至るのかを判定するときに参照すべき照明情報を得るエリアが記憶された参照エリアテーブル２３が設けられている。この実施例では、基本的には、隣接するエリアの照明状態を参照するのであるが、エリア１が広いためここの照明負荷の点灯／消灯を制御するときには、全エリアの照明状態を参照する。順次調光制御手段１６は、スイッチ６による点灯／消灯の指示を受けて、該当エリアについて参照すべきエリアを参照エリアテーブル２３より得る。ここで得たエリアにつき照明状態テーブル１８を検索して照明状態情報を得る。この照明情報に基づき、該当エリアの照明負荷に対し、直ちに点灯／消灯を実行するか順次に調光レベルを変更して点灯／消灯へ至るのかを判定する。例えば、１つのエリアでも点灯状態であれば、或いは、所定の調光レベル以上で照明されていれば、順次調光制御と判定する。この判定による照明指示情報（調光レベルを含む制御データ）を該当の制御端末器２のアドレスと共に伝送路４へ出力して調光制御を行う。
【００１５】
上記各手段による制御は、実際には、主操作盤１のプロッセサ１１２がメモリ１１３内の図５に示されるフローチャートのプログラムを用いて動作することにより行われるので、これを説明する。プロセッサ１１２は、伝送路４を介して監視端末器３からスイッチ６による所定エリアの照明負荷に対するオン／オフの制御がなされたか否かを検出している（５０１）。ここで、所定エリアの照明負荷に対するオン／オフの制御がなされると、当該オン／オフ制御に係る対象のエリアから、図４に示される参照エリアテーブル２３を用いて参照エリアを検索する（５０２）。検索の結果得た参照エリアについて照明状態テーブル１８を参照して照明状態情報を得て、例えば、１つのエリアでも点灯状態であるという条件、或いは、所定の調光レベル以上で照明されているという条件等の、予め与えられている条件に合致しているかを検出することにより、順次調光制御が必要か否かを検出する（５０４）。
【００１６】
上記において、例えば、参照エリアのいずれにおいても点灯されておらず、人がいないような場合には、ステップ５１１へ進み、直ちに点灯/ 消灯するように該当制御端末器５へ制御データを送出し（５１１）、照明状態情報を照明状態テーブル１８の該当エリアに書き込んで（５１２）エンドとなる。これに対し、順次調光制御が必要であることが検出されると、この調光を行うべきエリア、調光度を上げるのか下げるのか、現在の調光レベルを順次調光制御用レジスタ２２の空きエリアへ対応させて書き込み（５０５）、タイマ１９を起動し（５０６）、調光レベルを制御すべく定められた所定時間（人が照度の変化に気付かなくする時間で、例えば、０. ５秒）が経過したかを監視する（５０７）。所定時間が経過すると、所定（変化により照度変化が人に気にならぬ程度ずつ）だけ調光レベルを変化させるように制御データを送出し、これに基づく照明状態を照明状態テーブル１８へ、また、調光レベルを順次調光レジスタ２２へ書き込み（５０８）、限界まで、つまり、点灯／消灯状態まで調光が進んだかを調べ（５０９）、順次調光制御の終了を検出しながら（５１０）、ステップ５０７からステップ５１０を繰り返す。順次調光制御の終了の場合には、照明状態情報を照明状態テーブル１８の該当エリアに書き込んで、順次調光制御用レジスタ２２の必要なエリアのクリアを行って（５１２）エンドとなる。
【００１７】
なお、実施例では、制御データを順次に送るようにしたが、他の実施例では、主制御盤１からは、いずれの制御方式を採るのかを示す制御データのみ送り、制御端末器５側において順次調光制御或いは直ちに点灯/ 消灯制御を行うようにする。このように制御することによって、伝送路４の空き時間をより多く確保できる。また、例えば、隣接するエリアのみを参照エリアと定めておくことにより、参照エリアテーブル２３は必ずしも必要ではなく、逆に、参照エリアテーブルによって近接はしていないが、点灯／消灯による影響を受けるエリアの照明状態を考慮に入れることができる。
【００１８】
【発明の効果】
以上説明したように本発明によれば、照明負荷についてエリア毎に点灯／消灯を指示するスイッチ手段による点灯／消灯の指示があると、これを受けて、照明状態テーブルの少なくとも隣接するエリアの照明状態情報に基づき、該当エリアの照明負荷に対し、直ちに点灯／消灯を実行するか順次に調光レベルを変更して点灯／消灯へ至るのかを判定すると共に、この判定による照明指示情報を調光手段へ与えて調光制御を行うようにしているので、点灯／消灯された照明負荷による人への影響が少なく、かつ、無駄なく照明制御がなされる効果がある。
【図面の簡単な説明】
【図１】本発明の実施例に係る照明制御システムの構成図。
【図２】本発明の実施例に係る主操作盤のブロック図。
【図３】本発明の実施例に係る制御端末器のブロック図。
【図４】本発明の実施例に係る照明制御システムの要部の構成図。
【図５】本発明の実施例の動作を説明するためのフローチャート。
【図６】照明負荷による室内の照明対象エリアを示す図。
【符号の説明】
１  主操作盤                            ２−１、２−２  制御端末器
３  監視端末器                          ４  伝送路
５−１、５−２  照明負荷                １０  センサ端末器
１１  光センサ                          １６  順次調光制御手段
１７  テーブル管理手段                  １８  照明状態テーブル
１９  タイマ                            ２２  順次調光制御用レジスタ
２３  参照エリアテーブル
【図１】
0003717126.tif 000002
【図２】
0003717126.tif 000003
【図３】
0003717126.tif 000004
【図４】
0003717126.tif 000005
【図５】
0003717126.tif 000006
【図６】
0003717126.tif 000007